(57)【要約】【課題】配電盤に収納されている電気機器を設置容積の大きな電気機器に更新する場合に、既設の筐体内に収納できないという問題が生じている。そのため、既設の筐体の奥行き寸法を大きくする改造を施すことで、配電盤一式を更新するよりも、低コストにて電気機器の更新に対応すること。【解決手段】筐体と扉の間に部分筐体を取り付け、筐体の奥行き寸法を前面側に大きくすることにより、既設の電気機器を設置容積の大きな機器に低コストで更新できる。また、部分筐体を取り付ける際は、既設の扉、防護板を流用することにより、低コストで改造できる。【選択図】図１
2013169090.tif 000002
【特許請求の範囲】
【請求項１】
配電盤内に収納されている電気機器の、更新に伴う設置容積の増大に対応するため、前記配電盤の筐体と扉の間に、部分筐体が取り付けられていることを特徴とする配電盤。
【請求項２】
前記部分筐体の取り付け穴は、前記筐体及び前記扉の取り付け穴と、同じ位置に設けられていることを特徴とする請求項１に記載の配電盤。
【発明の詳細な説明】
【技術分野】
【０００１】
本発明は、配電盤の収納機器の更新時に増設する筐体に関するものである。
【背景技術】
【０００２】
配電盤には、図１０に示すように、変圧器などの電気機器が収納されている。配電盤の筐体は、変圧器などの電気機器の設置容積に対して余裕のある寸法にて製作されており、変圧器などの電気機器更新には問題なく対応できていた。
【０００３】
特許文献１では、配電盤の筐体を中間枠体で接続することが記載されている。しかし、本文献は主回路室と制御室の筐体を分離可能とする配電盤を提供することによる、製作時間や検査時間の短縮が目的である。既設の配電盤によっては筐体の奥行き寸法が小さく、主回路室と制御室が防護板のみで区分されている機種があり、その機種については主回路室と制御室の筐体を分離することは不可能である。
【０００４】
【特許文献１】特開２００６−２１１７８８号公報
【発明の概要】
【発明が解決しようとする課題】
【０００５】
既設の電気機器よりも設置容積の大きな電気機器（従来品とは異なる新機種採用や定格容量の大きな電気機器を含む）に更新することを検討した場合、筐体内に収納できない、絶縁離隔距離が確保できないという問題が生じている。
【０００６】
特に高圧の変圧器については、２００３年の省エネ法改正により、トップランナー変圧器を採用することが義務付けられた。トップランナー変圧器は、従来の変圧器と比較して設置容積が増大しているため、既設配電盤の筐体の大きさによっては収納できない、絶縁離隔距離が確保できないという問題が生じている。
【０００７】
具体的には、図９に示すように既設の変圧器を、奥行き寸法の大きな変圧器に更新することを検討した場合、変圧器の前面が既設の筐体よりも前面に突出した状態になり、筐体内に収納することができないため、筐体そのものを含む配電盤一式を容積の大きなものに更新する必要がある。
【０００８】
更新の対象が変圧器のみの場合、配電盤一式を更新してしまうと、製品自体に係る費用や更新時の作業時間（客先の停電時間を含む）も大幅に増加することになる。
【０００９】
従って、配電盤の収納機器を設置容積の大きな電気機器に更新する場合には、既設筐体の奥行き寸法を大きくする改造を低コストで施す必要がある。
【課題を解決するための手段】
【００１０】
本発明は、配電盤の筐体前面側に奥行き寸法を大きくするために、筐体と扉の間に部分筐体を取り付けることを特徴としている。
【００１１】
また本発明は、部分筐体を取り付ける際に既設の扉、防護板を流用することにより、低コストで改造できることを特徴としている。
【発明の効果】
【００１２】
筐体前面側に部分筐体を取り付けた結果、既設の電気機器を設置容積の大きな電気機器に低コストで更新することができる。
【００１３】
扉、防護板の取り付けは、部分筐体を取り付ける際に既設の扉、防護板を流用することにより、低コストで改造できる。
【図面の簡単な説明】
【００１４】
【図１】図１は本発明の実施形態に係る配電盤の構成を示す図であり、（ａ）は平面図、（ｂ）は正面図、（ｃ）はＡ−Ａ断面図である。
【図２】図２は本発明の実施形態に係る図１のＢ部拡大断面図である。
【図３】図３は本発明の実施形態に係る組立分解斜視図である。
【図４】図４は従来の配電盤に係る図１０の（ｃ）である。
【図５】図５は図４の筐体から扉、防護板、既設の変圧器が取り外された図である。
【図６】図６は図５の筐体部分の図である。
【図７】図７は図６の筐体部分に更新用の変圧器が取り付けられた図である。
【図８】図８は図７の筐体部分に部分筐体、既設の扉が取り付けられた図である。
【図９】図９は従来の配電盤に更新用の変圧器が取り付けられた場合の構成を示す図であり、（ａ）は平面図、（ｂ）は正面図、（ｃ）はＡ−Ａ断面図である。
【図１０】図１０は従来の配電盤の構成を示す図であり、（ａ）は平面図、（ｂ）は正面図、（ｃ）はＡ−Ａ断面図である。
【発明を実施するための形態】
【００１５】
以下、本発明の実施の形態を図１〜図３を用いて説明する。図１に示すように、筐体１と扉３の間に部分筐体２を取り付ける改造を施したことにより、筐体の奥行き寸法が前面側に大きくなり、更新用の変圧器７を取り付け可能にした配電盤が完成する。
【００１６】
図１のＢ部、すなわち筐体１、部分筐体２、扉３の接続部分の断面図を図２に示す。図２に示すように、部分筐体２の断面は概略Ｃ字形状である。筐体１、部分筐体２については、筐体１の開口部から挿入したボルト８と、部分筐体２の開口部から挿入したナット９にて互いに固定されている。部分筐体２、扉３については、部分筐体２の開口部から挿入したボルト８にて互いに固定されている。
【００１７】
なお、部分筐体２の取り付け穴は、筐体１、扉３の取り付け穴と同じ位置に設けておく。部分筐体２の断面は概略Ｃ字形状としているが、本形状に限らず、ボルト固定部分のみに開口部があれば、それでも構わない。図３に筐体１、部分筐体２、扉３の構成を示す。図３に示すように、部分筐体２が取り付けられることで、部分筐体２の分だけ筐体の奥行き寸法が前面側に大きくなる。
【実施例】
【００１８】
本実施の作業手順について図４〜図８を用いて説明する。図４は既設の配電盤の断面を示している。手順としては、まず筐体１から扉３、防護板６、変圧器４を取り外す。
【００１９】
図５は取り外した状態を示している。筐体部分である筐体１・負荷開閉器（ＬＢＳ）などの機器５と、取り外した扉３・防護板６・変圧器４とに分かれる。
【００２０】
図６は、筐体１に負荷開閉器（ＬＢＳ）などの機器５が取り付けられた筐体部分を示す。図７に示すように、筐体１に更新用の変圧器７が取り付けられ、防護板６が取り付けられている。更新用の変圧器７、防護板６が筐体１よりも外側（図では左側）にはみ出た状態となる。
【００２１】
図８に示すように、筐体１に部分筐体２、扉３が取り付けられている。部分筐体２が取り付けられたことにより、更新用の変圧器７、防護板６を収納でき、扉が閉められる状態に改造されている。
【００２２】
なお、本実施例の場合、更新の対象が変圧器となっているが、変圧器に限らず、コンデンサなどの電気機器の更新についても対応可能である。
【符号の説明】
【００２３】
１    筐体
２    部分筐体
３    扉
４    変圧器（既設）
５    負荷開閉器（ＬＢＳ）などの機器
６    防護板
７    変圧器（更新用）
８    ボルト
９    ナット
【図１】
2013169090.tif 000003
【図２】
2013169090.tif 000004
【図３】
2013169090.tif 000005
【図４】
2013169090.tif 000006
【図５】
2013169090.tif 000007
【図６】
2013169090.tif 000008
【図７】
2013169090.tif 000009
【図８】
2013169090.tif 000010
【図９】
2013169090.tif 000011
【図１０】
2013169090.tif 000012